(57)【要約】【課題】  シャッターを閉じた際、ユーザーが使用中の場合は電源をオフせず、ユーザーが電源をオフすることを忘れた場合は自動的に電源をオフし、消費電力を低減することを可能にした投射型表示装置を提供すること。【解決手段】  投射光を遮蔽するシャッターと、前記シャッターの状態を検出するシャッター状態検出手段と、周囲光を検出する周囲光検出手段と、前記投射型表示装置を制御する制御手段を備え、前記制御手段は、前記シャッター状態検出手段の検出結果と、前記周囲光検出手段の検出結果に応じて、前記投射型表示装置の電源を制御することを特徴とする構成とした。【選択図】  図１
2016139928.tif 000002
【特許請求の範囲】
【請求項１】
投射光を遮蔽するシャッターと、
前記シャッターの状態を検出するシャッター状態検出手段と、
周囲光を検出する周囲光検出手段と、
前記投射型表示装置を制御する制御手段を備え、
前記制御手段は、前記シャッター状態検出手段の検出結果と、前記周囲光検出手段の検出結果に応じて、前記投射型表示装置の電源を制御する
ことを特徴とする投射型表示装置。
【請求項２】
所定の条件で時間を計測する時間計測手段を備え、
前記時間計測手段は、
投射光が遮蔽されており、かつ、所定の明るさ以下である、
時間を計測し、
前記制御手段は、前記計測した時間が所定の時間経過した場合、前記投射型表示装置の電源をオフする
ことを特徴とする請求項１に記載の投射型表示装置。
【請求項３】
所定の条件で時間を計測する時間計測手段と、
前記投射型表示装置を操作できる操作手段を備え、
前記時間計測手段は、
投射光が遮蔽されており、かつ、所定の明るさ以下であり、かつ、前記操作手段が操作されない、
時間を計測し、
前記制御手段は、前記計測した時間が所定の時間経過した場合、前記投射型表示装置の電源をオフする
ことを特徴とする請求項１に記載の投射型表示装置。
【請求項４】
所定の条件で時間を計測する時間計測手段と、
画像信号の有無を検出する画像信号検出手段を備え、
前記時間計測手段は、
投射光が遮蔽されており、かつ、所定の明るさ以下であり、かつ、画像信号無しである、
時間を計測し、
前記制御手段は、前記計測した時間が所定の時間経過した場合、前記投射型表示装置の電源をオフする
ことを特徴とする請求項１に記載の投射型表示装置。
【請求項５】
所定の条件で時間を計測する時間計測手段と、
前記投射型表示装置を操作できる操作手段と、
画像信号の有無を検出する画像信号検出手段を備え、
前記時間計測手段は、
投射光が遮蔽されており、かつ、所定の明るさ以下であり、かつ、前記操作手段が操作されない、かつ、画像信号無しである、
時間を計測し、
前記制御手段は、前記計測した時間が所定の時間経過した場合、前記投射型表示装置の電源をオフする
ことを特徴とする請求項１に記載の投射型表示装置。
【請求項６】
前記時間計測手段は、
投射光が遮蔽されており、かつ、所定の明るさ以下である、
または、
投射光が遮蔽されており、かつ、周囲光が自然光である、
時間を計測し、
前記制御手段は、前記計測した時間が所定の時間経過した場合、前記投射型表示装置の電源をオフする
ことを特徴とする請求項１に記載の投射型表示装置。
【請求項７】
前記制御手段は、前記時間計測手段による計測時間の経過とともに、前記投射型表示装置の光源の電力供給量を低下させる
ことを特徴とする請求項２から６の何れか一項に記載の投射型表示装置。
【請求項８】
前記制御手段は、前記投射型表示装置の電源をオフする前に、電源をオフするメッセージを投射させることを特徴とする請求項２から７の何れか一項に記載の投射型表示装置。
【請求項９】
音声信号を再生する音声出力手段を備え、
前記制御手段は、前記投射型表示装置の電源をオフする前に、電源をオフするメッセージを、前記音声出力手段から出力させることを特徴とする請求項２から８の何れか一項に記載の投射型表示装置。
【発明の詳細な説明】
【技術分野】
【０００１】
本発明は、投射型表示装置に関し、特に投射型表示装置の電源制御に関するものである。
【背景技術】
【０００２】
会議などで使用される投射型表示装置は、その状況により、投射型表示装置を非表示にする場合がある。
【０００３】
通常、黒画像を表示し、擬似的に非表示とするが、近年、投射型表示装置の高輝度化により、漏れ光などの影響が顕著となり、黒表示時の輝度も上がっている。そのため、非表示としているにもかかわらず、眩しさを感じる恐れがあった。そこで、光路中にシャッターを設け、シャッターを閉じ投射光を遮ることで、非表示とすることができる投射型表示装置が知られている。
【０００４】
しかし、シャッターを閉じて非表示とした場合、ユーザーは投射型表示装置の電源がオンであることに気付きにくいため、使用後、電源をオフすることを忘れてしまうことがあった。
【０００５】
従来、電源をオフすることを忘れても、シャッターを閉じた状態で所定時間経過した場合、自動で電源をオフする技術が開示されている。
【先行技術文献】
【特許文献】
【０００６】
【特許文献１】特開２０１０−１１３２６５号公報
【発明の概要】
【発明が解決しようとする課題】
【０００７】
しかしながら、上述の特許文献に開示された従来技術では、自動で電源をオフにするまでの時間が一律のため、ユーザーが使用中にもかかわらず電源をオフにする場合があった。また、電源をオフすることを忘れた場合、しばらく電源オンが続き、その間無駄な電力を消費してしまうことがあった。
【０００８】
そこで、本発明の目的は、シャッターを閉じた際、ユーザーが使用中の場合は電源をオフすることなく、ユーザーが電源をオフすることを忘れた場合は自動的に電源をオフし、消費電力を低減することを可能にした投射型表示装置を提供することである。
【課題を解決するための手段】
【０００９】
上記目的を達成するために、本発明は、投射光を遮蔽するシャッターと、前記シャッターの状態を検出するシャッター状態検出手段と、周囲光を検出する周囲光検出手段と、前記投射型表示装置を制御する制御手段を備え、前記制御手段は、前記シャッター状態検出手段の検出結果と、前記周囲光検出手段の検出結果に応じて、前記投射型表示装置の電源を制御することを特徴とする。
【発明の効果】
【００１０】
本発明によれば、シャッターを閉じた際、ユーザーが使用中の場合は電源をオフすることなく、ユーザーが電源をオフすることを忘れた場合は自動的に電源をオフし、消費電力を低減することを可能にした投射型表示装置を提供することができる。
【図面の簡単な説明】
【００１１】
【図１】第１の実施例、第２の実施例、第４の実施例、第５の実施例のブロック図
【図２】第１の実施例のフローチャート
【図３】第２の実施例のフローチャート
【図４】第３の実施例のブロック図
【図５】第３の実施例のフローチャート
【図６】第４の実施例のフローチャート
【図７】第５の実施例のフローチャート
【発明を実施するための形態】
【００１２】
以下に、本発明の好ましい実施の形態を、添付の図面に基づいて詳細に説明する。
【実施例１】
【００１３】
以下、図１、図２を参照して、本発明の第１の実施例による投射型表示装置について説明する。
【００１４】
図１は本実施例の投射型表示装置の構成を示すブロック図である。
【００１５】
画像信号入力部１０１は、画像信号入力用のインターフェースコネクタを含み、外部から画像信号が入力される。入力された画像信号は、画像信号処理部１０２に出力される。
【００１６】
画像信号処理部１０２は、解像度変換や台形歪み補正、および、明るさ、コントラスト、色合いなどの各種画像処理が行われる。画像信号処理部１０２から出力された画像信号は、パネル駆動部１０３へ出力される。
【００１７】
パネル駆動部１０３は、入力された画像信号に基づいて液晶パネル１０４を駆動する。液晶パネル１０４は、透過型液晶パネルや反射型液晶パネルである。なお、液晶パネル１０４は、ＤＭＤ（Ｄｉｇｉｔａｌ  Ｍｉｒｒｏｒ  Ｄｅｖｉｃｅ）などの光変調素子を用いることもできる。
【００１８】
光源駆動部１０５は、光源１０６の点灯・消灯制御や、光源１０６への電力を制御する。
【００１９】
光源１０６から出射した光は、不図示のパネル照明光学系により液晶パネル１０４に導かれ、液晶パネル１０４によって光変調される。光変調された光は投射レンズ１０７により不図示のスクリーンなどに投射され、画像を表示する。
【００２０】
光路中には投射光を遮蔽可能なシャッター１０８が配置されており、シャッター１０８を閉めることにより投射光を遮ることができる。これにより、黒表示として擬似的に非表示とした場合と比較して、漏れ光の発生を抑えることができる。
【００２１】
シャッター状態検出部１０９は、シャッター１０８の開閉状態を検出し、検出結果をＭＰＵ１１０へ出力する。シャッター状態検出の方法としては、メカニカルスイッチによる検出方法や、発光素子と受光素子を組み合わせた検出方法などを用いることができる。
【００２２】
周囲光検出部１１１は、光センサなどであり、周囲光（設置された投射型表示装置の周囲の光）を検出し、検出結果をＭＰＵ１１０へ出力する。
【００２３】
時間計測部１１２は、ＭＰＵ１１０の制御に基づき時間を計測し、計測結果をＭＰＵ１１０へ出力する。ＭＰＵ１１０は、時間計測部１１２の計測開始／停止や、計測結果のリセットなどの制御を行うことができる。
【００２４】
電源部１１３は、画像信号入力部１０１や、画像信号処理部１０２、パネル駆動部１０３、液晶パネル１０４、光源駆動部１０５など投射型表示装置の各ブロックへ電源を供給する。ＭＰＵ１１０は電源部１１３のオン／オフを制御可能であり、オンすると画像投射状態となり、オフするとスタンバイ状態となる。
【００２５】
音声出力部１１４は、ＭＰＵ１１０から出力された音声信号を再生することができる。
【００２６】
操作部１１５は、投射型表示装置にある不図示の操作ボタンや、不図示のリモコンの操作ボタンから入力されるユーザーの操作指示を、ＭＰＵ１１０へ出力する。ＭＰＵ１１０は、ユーザーの操作指示に応じて、各ブロックを制御する。
【００２７】
なお、シャッター１０８は、ユーザーによる手動操作、操作部１１５からの操作指示などによる電動操作により開閉操作することができる。
【００２８】
次に図２のフローチャートを用いて、本実施例の投射型表示装置のＭＰＵの動作を説明する。
【００２９】
ステップ（図にはＳと記す。以下の実施例においても同様である。）１０１は、検出されたシャッター状態により、投射光を遮蔽しているか否かを判定する。遮蔽している場合はステップ１０２へ、遮蔽していない場合はステップ１１１へ移行する。
【００３０】
ステップ１０２は、検出された周囲光から、投射型表示装置の周囲の明るさを判定し、ステップ１０３へ移行する。
【００３１】
ステップ１０３は、ステップ１０２で判定した投射型表示装置の周囲の明るさが、所定値以下か否かを判定する。所定値としては、例えば、ＪＩＳ照度基準（ＪＩＳ  Ｚ９１１０）で屋内非常階段の照度と規定されている７５ルクスに設定する。所定値以下の場合はステップ１０４へ、所定値を超えている場合はステップ１１１へ移行する。
【００３２】
ステップ１０４は、シャッターが投射光を遮蔽していると検出し、かつ、投射型表示装置の周囲が所定の明るさ以下なので、その状態である時間を計測中か否かを確認する。時間計測中の場合はステップ１０６へ移行し、時間計測を開始していない場合はステップ１０５へ移行し時間計測を開始した後、ステップ１０６へ移行する。
【００３３】
ステップ１０６は、所定時間（例えば、予め１０分に設定）が経過したか否かの判定を行う。所定時間経過していない場合はステップ１０１へ戻り、所定時間経過した場合はステップ１０７へ移行する。なお、所定時間は、操作部１１５から、ユーザーが任意の時間を設定することもできる。
【００３４】
ステップ１０７へ移行した場合、シャッターが投射光を遮蔽していると検出し、かつ、投射型表示装置の周囲が所定の明るさ以下である状態が所定時間続いたことになる。これは、会議などが終了し設置環境の照明などを消灯したため、投射型表示装置の周囲が暗くなっているにもかかわらず、投射型表示装置の電源がオンであることを示している。
【００３５】
したがって、ユーザーが投射型表示装置の電源をオフすることを忘れたと判定し、続くステップ１０７〜１１０により電源をオフする。
【００３６】
ステップ１０７は、時間計測を停止し、続くステップ１０８は、時間計測結果をリセットする。
【００３７】
ステップ１０９は、電動操作可能なシャッターの場合、シャッターを開け、電源オフする旨のメッセージを投射表示させ、投射型表示装置の電源をオフすることを予告する。手動のみ操作可能なシャッターの場合、音声出力部を用い、音声により電源オフする旨のメッセージを出力させ、同様に投射型表示装置の電源をオフすることを予告する。
【００３８】
電動操作可能なシャッターの場合、本実施例では投射表示による予告としたが、音声出力部を用い、音声により電源オフする旨のメッセージを出力してもよい。
【００３９】
ステップ１１０は、電源部をオフにし、投射型表示装置の電源をオフにする。
【００４０】
ステップ１１１は、時間計測中か否かを判定する。時間計測中の場合、続くステップ１１２で時間計測を停止し、さらにステップ１１３で時間計測結果をリセットし、ステップ１０１へ戻る。時間計測をしていない場合はステップ１０１へ戻る。
【００４１】
以上、説明したように、ＭＰＵは、シャッター状態検出部の検出結果と周囲光検出部の検出結果に応じて、時間計測を開始し、所定の時間経過した場合、投射型表示装置の電源をオフする。
【００４２】
つまり、投射型表示装置の周囲が所定の明るさを超えていれば、会議などが継続中と判断し、シャッターが投射光を遮蔽していても、使用中の投射型表示装置の電源をオフすることがない。また、シャッターが投射光を遮蔽し、周囲が所定の明るさ以下である状態が続いた場合、ユーザーが投射型表示装置の電源をオフすることを忘れたと判定し、自動的に電源をオフすることができる。
【実施例２】
【００４３】
以下、図１、図３を参照して、本発明の第２の実施例による投射型表示装置について説明する。
【００４４】
本実施例の投射型表示装置の構成は、第１の実施例と同様のため説明を省略する。
【００４５】
次に図３のフローチャートを用いて、本実施例の投射型表示装置のＭＰＵの動作を説明する。第１の実施例との相違点は、ステップ２０１、ステップ２０２が付加された点である。また、第１の実施例と同じステップ番号の説明は省略する。
【００４６】
ステップ２０１は、操作部へのユーザーからの操作指示の有無を検出する。操作が有る場合はステップ１１１へ移行し、操作が無い場合はステップ１０４へ移行する。
【００４７】
ステップ１０７へ移行した場合、シャッターが投射光を遮蔽していると検出し、かつ、投射型表示装置の周囲が所定の明るさ以下、かつ、ユーザー操作の無い状態が所定時間続いたことになる。これは、投射型表示装置の周囲が暗くなっているにもかかわらず、電源がオンであることに加え、ユーザーによる操作が無かったことを示している。
【００４８】
したがって、ユーザーが投射型表示装置の電源をオフすることを忘れたと判定し、第１の実施例と同様に、続くステップ１０７〜１１０により自動的に電源をオフする。
【００４９】
本実施例では、ステップ１０９で投射型表示装置の電源をオフすることを予告した後、ステップ２０２へ移行する。ステップ２０２は、再度、操作部へのユーザーからの操作指示の有無を検出する。操作が有る場合はステップ１０１へ移行し、操作が無い場合はステップ１１０へ移行する。予告後、再度、ユーザーからの操作指示の有無を検出することで、使用中にもかかわらず、誤って電源オフすることを防止することができる。
【００５０】
以上、説明したように、第１の実施例で説明した条件に、ユーザーによる操作の有無の条件を加えることで、投射型表示装置が使用中であるか否かについて、より精度高く判定することができる。
【実施例３】
【００５１】
以下、図４、図５を参照して、本発明の第３の実施例による投射型表示装置について説明する。
【００５２】
図４は本実施例の投射型表示装置の構成を示すブロック図である。
【００５３】
第１の実施例との相違点は、画像信号検出部３０１が付加された点である。また、第１の実施例と同じ符号の説明は省略する。
【００５４】
画像信号入力部１０１から入力された画像信号は、画像信号処理部１０２と、画像信号検出部３０１に出力される。
【００５５】
画像信号検出部３０１は、例えば、水平同期信号や垂直同期信号の有無や、ホットプラグ検出状態など画像信号を検出し、検出結果をＭＰＵ１１０へ出力する。
【００５６】
次に図５のフローチャートを用いて、本実施例の投射型表示装置のＭＰＵの動作を説明する。第１の実施例との相違点は、ステップ３０１が付加された点である。また、第１の実施例と同じステップ番号の説明は省略する。
【００５７】
ステップ３０１は、画像信号検出部の検出結果から、入力される画像信号の有無を判定する。画像信号有りの場合はステップ１１１へ移行し、画像信号無しの場合はステップ１０４へ移行する。
【００５８】
ステップ１０７へ移行した場合、シャッターが投射光を遮蔽していると検出し、かつ、投射型表示装置の周囲が所定の明るさ以下、かつ、画像信号の入力が無い状態が所定時間続いたことになる。これは、投射型表示装置の周囲が暗くなっているにもかかわらず、電源がオンであることに加え、ＰＣやＢｌｕ−ｒａｙ（登録商標）プレーヤーなどのソース機器から画像信号の入力が無かったことを示している。
【００５９】
したがって、ユーザーが投射型表示装置の電源をオフすることを忘れたと判定し、第１の実施例と同様に、ステップ１０７〜１１０により自動的に電源をオフする。
【００６０】
以上、説明したように、第１の実施例で説明した条件に、画像信号の入力の有無の条件を加えることで、投射型表示装置が使用中であるか否かについて、より精度高く判定することができる。
【実施例４】
【００６１】
以下、図１、図６を参照して、本発明の第４の実施例による投射型表示装置について説明する。
【００６２】
本実施例の投射型表示装置の構成は、第１の実施例と同様のため説明を基本的に省略する。
【００６３】
周囲光検出部１１１は、例えばＲＧＢ光センサなど、複数の色成分を検出できる光センサであり、周囲光を複数の色成分ごとに検出し、検出結果をＭＰＵ１１０へ出力する。
【００６４】
次に図６のフローチャートを用いて、本実施例の投射型表示装置のＭＰＵの動作を説明する。第１の実施例との相違点は、ステップ４０１が付加された点である。また、第１の実施例と同じステップ番号の説明は省略する。
【００６５】
ステップ４０１は、周辺光検出部１１１の検出結果から、光源の種類が自然光であるか否かを判定する。判定方法としては、例えば、ＭＰＵ１１０は予め自然光源に対してＲＧＢごとの光強度分布を記憶しており、周辺光検出部１１１の測定結果と比較することで行うことができる。
【００６６】
自然光であると判定された場合、ステップ１０４へ移行し、自然光でないと判定された場合、ステップ１１１へ移行する。例えば、会議などが終了し、照明などは消灯しているものの、会議室のカーテンなどを開け、自然光により周囲光が一定の明るさとなる場合がある。その場合でも、会議などが終了したと判定し、時間計測を開始、または、継続する。
【００６７】
ステップ１０７へ移行した場合、シャッターが投射光を遮蔽していると検出し、かつ、投射型表示装置の周囲が所定の明るさ以下である状態、または、シャッターが投射光を遮蔽していると検出し、かつ、所定の明るさを超えた自然光が検出された状態が所定時間続いたことになる。
【００６８】
したがって、ユーザーが投射型表示装置の電源をオフすることを忘れたと判定し、第１の実施例と同様に、続くステップ１０７〜１１０により自動的に電源をオフする。
【００６９】
以上、説明したように、第１の実施例で説明した条件に、光源の種類が自然光であるか否かの条件を加えることで、投射型表示装置が使用中であるか否かについて、より精度高く判定することができる。
【実施例５】
【００７０】
以下、図１、図７を参照して、本発明の第５の実施例による投射型表示装置について説明する。
【００７１】
本実施例の投射型表示装置の構成は、第１の実施例と同様のため説明を省略する。
【００７２】
次に図７のフローチャートを用いて、本実施例の投射型表示装置のＭＰＵの動作を説明する。第１の実施例との相違点は、ステップ５０１、ステップ５０２が付加された点である。また、第１の実施例と同じステップ番号の説明は省略する。
【００７３】
ステップ５０１は、計測時間の経過とともに光源駆動部を制御し、光源の電力供給を低下させる。例えば、計測時間が１分経過するごとに光源の電力供給を５％低下させる。ただし、光源の下限の電力供給量の設定が有る場合には、その設定を下限とする。
【００７４】
ステップ５０２は、シャッターが開けられたので、光源駆動部を制御し、光源の電力供給量を予め設定された値にする。これにより、計測時間の経過とともに光源の電力供給量を低下させていても、元の光源の明るさで画像投射することができる。
【００７５】
以上、説明したように第１の実施例に、計測時間の経過とともに光源の電力供給を低下させることで、シャッターへの熱影響を低減するとともに、より低消費電力化を図ることができる。
【００７６】
以上、本発明の好ましい実施形態について説明したが、本発明はこれらの実施形態に限定されず、その要旨の範囲内で種々の変形及び変更が可能である。
【００７７】
例えば、第２の実施例のユーザー操作の有無による条件と、第３の実施例の画像信号入力の有無による条件を組み合わせることもできる。同様に第４の実施例の光源の種類による条件と、第５の実施例を組み合わせることもできる。また、第２の実施例、第３の実施例、第４の実施例を３つ以上の実施例を組み合わせることもできる。
【産業上の利用可能性】
【００７８】
本発明は、投射型表示装置の電源制御に有効である。
【符号の説明】
【００７９】
１０１  画像信号入力部
１０２  画像信号処理部
１０３  パネル駆動部
１０４  液晶パネル
１０５  光源駆動部
１０６  光源
１０７  投射レンズ
１０８  シャッター
１０９  シャッター検出部
１１０  ＭＰＵ
１１１  光センサ
１１２  時間計測部
１１３  電源部
１１４  音声出力部
１１５  操作部
【図１】
2016139928.tif 000003
【図２】
2016139928.tif 000004
【図３】
2016139928.tif 000005
【図４】
2016139928.tif 000006
【図５】
2016139928.tif 000007
【図６】
2016139928.tif 000008
【図７】
2016139928.tif 000009